(57)【要約】      （修正有）【課題】高所に設置されたＬＥＤランプの交換が容易なＬＥＤ照明装置を提供する。【解決手段】ＬＥＤ照明装置は、ＬＥＤライトバー１、取付柱２、固定機構４、同期ベルト５及び駆動ハンドルを有し、駆動ハンドルが同期輪を通じて、ＬＥＤライトバー１を支える固定機構４を上下移動させることによってＬＥＤライトバー１の交換を行う。固定機構４とＬＥＤライトバー１が最も高い位置にある時、２つの第１固定ブロックが２つの第１固定穴に嵌ることで、２つの第１固定穴が移動ブロックを安定して支え、同時に、固定機構が下向きに移動する時、下方向の牽引力が固定プーリーを通じて移動ブロックに伝わないため、２つの第１固定ブロックと２つの第１固定穴の間の摩擦力が強くならないので、２つの第１固定ブロックは滑らかに第１固定穴から外れ、固定機構４は滑らかに下向きに移動する。【選択図】図３
2020202174.tif 000002
【特許請求の範囲】
【請求項１】
ＬＥＤライトバー、取付柱、固定機構、同期ベルト、駆動ハンドル、第１同期輪、第１回転軸、第２同期輪、第２回転軸からなり、
取付柱は中空で、取付柱の内側面の上端には対称的な２つの第１固定穴があり、
取付柱の第１固定穴が無い側面には、停止ブロックが付けられていて、停止ブロックには第２固定穴があり、
取付柱の下端の内側面には軸穴が形成されており、
第１回転軸は軸穴を通して取付柱に付けられ、
駆動ハンドルは第１回転軸の外側に付けられ、
第１同期輪は第１回転軸の内向き側に付けられ、
第２回転軸は取付柱の上端の内側面に付けられ、
第２同期輪は第２回転軸に付けられ、
第２同期輪と第１同期輪は同期ベルトを通じて繋がっており、
固定機構は取付柱の中に付けられ、その移動は同期ベルトで駆動され、
ＬＥＤライトバーは固定機構の上に取り付けられ、
ライトバーの上の部分は取付柱の上の面に形成されているライト穴から取付柱の外に現れ、
固定機構には、移動ブロック、第１固定ブロック、第２固定ブロック、第１戻しバネ、第２戻しバネ、伸縮シェル、移動シェル、第３戻しバネ、制限バー、固定プーリー、第４戻しバネ、第１取付穴、第２取付穴、ワイヤー、第２斜面からなり、
移動ブロックの両側には、対称的に２か所の第２取付穴が形成されており、
移動ブロックの後ろの面には、前後貫通の第１取付穴があり、その第１取付穴の前端は移動ブロックの上下両面と連通し、
移動ブロックは取付柱の内部に付けられ、
２つの伸縮シェルはそれぞれ２つの第２取付穴の中にあり、
それぞれの伸縮シェルの奥側と第２取付穴の間には、第２戻しバネがあり、
第１固定ブロックの下側には第２斜面が形成されており、
２つの第１固定ブロックはそれぞれ２つの伸縮シェルの中に設置され、
２つの第１固定ブロックの奥側と伸縮シェルの間には、第１戻しバネがあり、
２つの第１固定ブロックは取付柱の内側面に設けられた２つの第１固定穴とはセットになっており、
移動シェルは第１取付穴の中に設置され、その下面と第１取付穴的の下面の間には第３戻しバネがあり、
第２固定ブロックの一端の上下両側が斜面に形成され、その下側の斜面の水平方向に対する傾斜角度は、上側の斜面の水平方向に対する傾斜角度より小さく、
第２固定ブロックは移動シェルの中に設置され、その奥側と移動シェルの間には第４戻しバネがあり、
第２固定ブロックは取付柱の停止ブロックに設けられた第２固定穴とはセットになっており、
２つの制限バーは、対称的に第１取付穴の両側面に設けられ、移動シェルの移動を制限し、
４つの固定プーリーは、上下２段で左右対称に移動シェルの前端に設置され、
２つの伸縮シェルは横方向に延びるワイヤーで繋がっており、
ワイヤーは移動ブロックにあるワイヤー穴を通って固定プーリーの間を通り、
２つの伸縮シェルの間を横方向に延びるワイヤーは、縦方向に延びるワイヤーの一端に接続されており、
縦方向に延びるワイヤーは、横方向に延びるワイヤーとの接続箇所から、左右対称の固定プーリーの間を通って駆動板に接続され、同期ベルトに固定され、
縦方向に延びるワイヤーは左右のワイヤーの間を通り、
移動ブロックが最も高い位置にある時、第２固定ブロックと、それと対応する第２固定穴の下側の面との間には隙間がある
ことを特徴とする照明装置。
【請求項２】
取付柱の中の両側面には対称的な４本のガイドレールがあり、
移動ブロックの４つの角にはガイドブロックがあり、
移動ブロックは４つのガイドブロックを使って、４本のガイドレールに沿って移動し、
取付柱の下部の側面には駆動ハンドルを保護する保護シェルが付けられ、
その保護シェルには鍵を掛けられる保護ドアが設けられている
ことを特徴とする請求項１に記載の照明装置。
【請求項３】
移動ブロックに設けられている第１取付穴の前側の両側面には、
対称的な２本の第３ガイド槽があり、
駆動板の奥側には２つの回避口があり、
駆動板の回避口がある側の両側には、対称的な２つの第５ガイドブロックがあり、
駆動板は、２つの第５ガイドブロックと２本の第３ガイド槽の組み合わせにより、移動ブロックに設けられており、
２つの伸縮シェルの間を横方向に延びるワイヤーとは別の、縦方向に延びるワイヤーが駆動板の第５ガイドブロックの一端と繋がっており、
駆動板の外側の一端は同期ベルトに連結し、
移動ブロックの第１取付穴の奥側の両側面には、対称的な２本の第１ガイド槽が設けられており、
移動シェルの両側面には、対称的な２つの第１ガイドブロックが付けられており、
移動シェルは２つの第１ガイドブロックと２本の第１ガイド槽の組み合わせにより、移動ブロックに付けられている
ことを特徴とする請求項１に記載の照明装置。
【発明の詳細な説明】
【技術分野】
【０００１】
本発明は、ＬＥＤを使用した照明装置に関する。
【背景技術】
【０００２】
照明装置は、省エネの効果が高い装置が求められている。
そのため、ＬＥＤ照明装置は、価値が高く、幅広い分野で利用されてきた。
近年、ＬＥＤ照明装置は、スマートコントロール回路を電源に設置し、共プラス極または共マイナス極の２回路出力を通じて、色と明るさの調節を実現できるようになった。
それにより、公園や遊園地では、夜でも明るく照らせる様々なＬＥＤ照明装置が設置されている。
この場合のＬＥＤ照明装置は、安全性と実用性を考慮して、照明範囲の拡大と感電防止のために高所に設置される。
しかし、電球が壊れた時や寿命になった時は、交換しなければならないが、高所に設置された照明装置の電球交換は不便である。
【０００３】
そこで、特許文献１には、LEDランプの取り外しや交換が容易な照明器具が開示されている。
特許文献1の発明は、取り外し可能なLEDランプ、取り外し可能なランプ、ランプソケットとアルミニウム基板を適合させることによって、損傷部分を容易に交換したり、LEDランプを容易に除去できるようにしたものであり、アルミニウム板をヒートシンクに密着してプレートを設計することで、LEDランプは、動作中に発生する多量の熱を放散することができ、寿命を延ばし、損傷のリスクを減らすことができるというものである。
【先行技術文献】
【特許文献】
【０００４】
【特許文献１】CN109185720A公報（出願番号CN201811155264.9）
【発明の概要】
【発明が解決しようとする課題】
【０００５】
しかし、特許文献1の発明は、取り外し可能なLEDランプを使用し、放熱しやすい設計にすることで、電球の寿命を延ばしているにすぎず、LEDランプの交換に伴う作業性については考慮されていない。
そこで、本発明は、上記問題を解決するため、新たなＬＥＤ照明装置を提供することを課題とする。
【課題を解決するための手段】
【０００６】
従来技術における上記問題点を解決するために、本発明のＬＥＤ照明装置は、以下の技術的な解決策を講じている。
【０００７】
なお、本発明の説明において、「内」、「下」、「上」など方位と位置関係を指示する用語は、図面に示される方位や作業中によく置く方位、位置関係に基づくものである。
また、「第１」、「第２」などの用語は、説明を区別するためにのみ使用され、相対的な重要性を示したり、暗示することを意味するものではない。
【０００８】
ＬＥＤ照明装置は、ＬＥＤライトバー、取付柱、固定機構、同期ベルト、駆動ハンドル、第１同期輪、第１回転軸、第２同期輪、第２回転軸が含まれる。
取付柱は、中空で、内側面に対称的に２つの第１固定穴がある。
移動ブロックが最も高い位置にある時は、移動ブロックに付けられている第１固定ブロックが第１固定穴に嵌ることによって移動ブロックが、落ちない状態に固定（支持）される。
この固定された状態は、２つの第１固定ブロックが、それぞれ対応している第１固定穴の隙間に嵌った状態であり、２つの第１固定穴が移動ブロックを安定して支持することができる。
【０００９】
取付柱の上部の、第１固定穴が開いていない側面には、停止ブロックが付けられて、停止ブロックには第２固定穴がある。
第２固定穴は、同期ベルトが下向きにワイヤーを引っ張り始めると、ワイヤーも移動ブロックに対して下向きの力を与える。
その時、移動ブロックが最も高い位置で、２つの第１固定ブロックと２つの第１固定穴の組み合わせによって固定されているため、ワイヤーに引っ張られると、移動ブロックが受ける下向きの力は強くなる。
【００１０】
また、２つの第１固定ブロックと第１固定穴の間の摩擦力も強くなり、第１固定ブロックの第１固定穴から受ける下向きの力に対する抵抗力も強くなる。
伸縮シェルがワイヤーの牽引力に対する抵抗力も強くなる。
この状態では、２つの第１固定ブロックと２つの第１固定穴の組み合わせにより、移動ブロックは下向きに移動しない。
【００１１】
しかし、ワイヤーが固定プーリーを経由していて、固定プーリーが移動シェルに付けられているため、ワイヤーが固定プーリーを通して牽引力を移動シェルに伝える。
それによって移動シェルが下向きに移動し、それにつれて第２固定ブロックも下向きに移動する。
その移動中、第２固定ブロックの下側の斜面が第２固定穴に当たると、第２固定穴は第２固定ブロックに対して上向きの支持力を与える。
【００１２】
第２固定ブロックの下側の斜面の水平方向を基準とした傾斜角度が小さいため、第２固定ブロックは第２固定穴から容易には移動シェル側には戻らない。
そのため、第２固定穴は第２固定ブロックを介して移動シェルに上向きの支持力を与える。
その支持力がワイヤーの下向きの引っ張り力の大部分を相殺するため、ワイヤーが第１固定ブロックと第１固定穴の間に伝えてきた下向きの牽引力が小さくなり、伸縮シェルのワイヤーの牽引力に対する抵抗も小さくなる。
この状態で、ワイヤーを引っ張るとワイヤーが伸縮シェルを移動させる。
【００１３】
取付柱の下端の内側面には軸穴が形成されている。
第１回転軸は軸穴を通して取付柱に付けられている。
駆動ハンドルは第１回転軸の外側に付けられていて、第１同期輪は第１回転軸の内向き側に付けられている。
第２回転軸は取付柱の上端の内側面に付けられていて、第２同期輪は第２回転軸に付けられている。
第２同期輪と第１同期輪は同期ベルトを通じて繋がっている。
【００１４】
駆動ハンドルを手動で回し、駆動ハンドルによって第１回転軸が回され、第１回転軸の回転によって第１同期輪が回され、第１同期輪の回転によって第１同期輪と第２同期輪が繋がっている同期ベルトが動かされる。
固定機構は取付柱の内部に付けられて、その上下移動は同期ベルトに駆動されている。
ＬＥＤライトバーは、固定機構の上に取り付けられ、ライトバーの上の部分は、取付柱の上の面に形成されてライト穴から取付柱の外に現れる。
【００１５】
固定機構には、移動ブロック、第１固定ブロック、第２固定ブロック、第１戻しバネ、第２戻しバネ、伸縮シェル、移動シェル、第３戻しバネ、制限バー、固定プーリー、第４戻しバネ、第１取付穴、第２取付穴、ワイヤー、第２斜面が含まれる。
移動ブロックの両側には、対称的に２か所の第２取付穴が開いてある。
移動ブロックの後ろの面には、前後貫通の第１取付穴があり、その第１取付穴の前端は移動ブロックの上下両面と連通する。
【００１６】
移動ブロックは取付柱の内部に付けられている。
２つの伸縮シェルは、それぞれ２つの第２取付穴の中にあり、それぞれの伸縮シェルの奥側と第２取付穴の間には、第２戻しバネがある。
第２戻しバネの役割は、伸縮シェルを戻すことである。
第１固定ブロックの下側には第２斜面があり、第２斜面は、移動ブロックが上向きに移動するとき、第１固定ブロックが第１固定穴の位置に合うと、第１固定ブロックが第１戻しバネの力で第１固定穴の中に移動して嵌る。
【００１７】
移動ブロックが最も高い位置に達した時、駆動ハンドルを放すと、重力によって移動ブロックは下向きの力によって第３戻しバネを押し縮めるようになる。
移動ブロックが最も高い位置に達したとき、２つの第１固定ブロックは、完全に第１固定穴に嵌り、第１固定穴と合わせて移動ブロックを支えることができる。
【００１８】
本発明では、第１固定ブロックの下側に第２斜面を設ける構成にしたことで、移動ブロックが最も高い位置に達する直前から、第１固定ブロックは、第１固定穴に入り始めるようになる。
そして、移動ブロックが最も高い位置に達する時には、第１固定ブロックは、第１固定穴にほぼ収まった状態になる。
その後、第１固定ブロックは、第１戻しバネの力を受けて第１固定穴に完全に収まる。
【００１９】
２つの第１固定ブロックは、それぞれ２つの伸縮シェルの中に付けられ、第１固定ブロックの奥側と伸縮シェルの間には第１戻しバネがある。
第１戻しバネは、第１固定ブロックを戻す役割がある。
２つの第１固定ブロックは、取付柱に形成されている２つの第１固定穴と合わせる。
移動シェルは、第１取付穴の中に取り付けられて上下移動できる。
移動シェルの下面と第１取付穴の下面の間に第３戻しバネがある。
第３戻しバネは移動シェルを戻す役割を果たす。
移動ブロックが最も高い位置にある時、第３戻しバネは移動シェルの重さによってやや圧縮された状態になる。
【００２０】
第２固定ブロックの外側の上下には斜面があり、しかも下側の斜面の傾斜角度は上側の斜面の傾斜角度より小さい。
これにより、移動ブロックが下向きの力を受けている間は、下側に斜面を設けているため、第２固定ブロックが容易には第２固定穴側に押されて移動シェルの中に戻ることはないが、移動ブロックが上向きの支持力を受けている間は、上側に斜面を設けているため、第２固定ブロックの上側の斜面が第２固定穴に当接することで、第２固定ブロックが容易に第４戻しバネに押し出される。
【００２１】
第２固定ブロックは移動シェルの中に取り付けられている。
第２固定ブロックと移動シェルの間には第４戻しバネがある。
第４戻しバネの役割は、第２固定ブロックに対し、元の位置に戻す力を与えることである。
第２固定ブロックは取付柱に付けられている停止ブロックの第２固定穴に嵌る。
２本の制限バーは対称的に第１取付穴の両側面に付けられていて、移動シェルの移動範囲を制限する。
【００２２】
移動シェルの第２固定ブロックが第２固定穴から外れた後、移動シェルは制限バーによって移動ブロックを下向きに移動させることができる。
固定プーリーは、左右対称の上下２段に配置された計４個からなり、移動シェルの前に設置される。
【００２３】
２つの伸縮シェルは、横方向に延びるワイヤーで繋がっており、横方向に延びるワイヤーは、移動ブロックにあるワイヤー穴を通って、固定プーリーの間に延びる。
２つの伸縮シェルの間を横方向に延びるワイヤーは、縦方向に延びるワイヤーの一端に接続されており、縦方向に延びるワイヤーは、横方向に延びるワイヤーとの接続箇所から、左右対称の固定プーリーの間を通って駆動板に接続され、駆動板は同期ベルトに固定される。
【００２４】
移動ブロックが下向きに移動する時、縦方向に延びるワイヤーは下段の左右２つの固定プーリーの間を通る。
移動ブロックが上向きに移動する時、縦方向に延びるワイヤーは上段の左右２つの固定プーリーの間を通る。
【００２５】
移動ブロックが最も高い位置にある時、第２固定ブロックと、それに対応する第２固定穴との間とは隙間がある。
この隙間は、移動ブロックが最も高い位置で２つの第１固定ブロックに支えられている証拠である。
その時、２つの第１固定ブロックが第１固定穴に嵌ることによって、移動ブロックを安定して支持する。
【００２６】
取付柱の側面には対称的に４本のガイドレールがある。
移動ブロックの４つの角にはガイドブロックがある。
移動ブロックは４つのガイドブロックを使って、４本のガイドレールに沿って移動する。
【００２７】
取付柱の下方の側面には駆動ハンドルを保護する保護シェルが付けられ、その保護シェルには鍵を掛けられる保護ドアもある。
作業員以外の第三者が偶然ＬＥＤライトバーを動かすことを防止できる。
取付柱の上部の支え棒には、ＬＥＤライトバーの光を反射する反射板が付けられている。
移動ブロックに設けられている第１取付穴の前側の両側面には、対称的に２本の第３ガイド槽がある。
【００２８】
駆動板の奥側には２つの回避口が形成されている。
回避口が形成されていることで、駆動板が上向きに移動する時、４つの固定プーリーには当たることがない。
駆動板の回避口がある側の両側には、対称的な２つの第５ガイドブロックがある。
駆動板は、２つの第５ガイドブロックと２本の第３ガイド槽の組み合わせにより、移動ブロックに設置されている。
【００２９】
２つの伸縮シェルを繋げるワイヤーとは異なる縦方向に延びるワイヤーが駆動板の第５ガイドブロックの一端と繋がる。
駆動板の端部が同期ベルトに連結する。
２つの第５ガイドブロックと２本の第３ガイド槽の組み合わせによって、駆動板の動きを制限する。
これによって、駆動板が同期ベルトによって揺らされても、同期ベルトの動きに影響を受けない。
【００３０】
移動ブロックに設けられている第１取付穴の奥側の両側面には、対称的に２つの第１ガイド槽が形成されている。
移動シェルの側面には、対称的に２つの第１ガイドブロックがある。
移動シェルは、２つの第１ガイドブロックと２つの第１ガイド槽の組み合わせによって移動ブロックの中での動きが制限される。
【００３１】
移動シェルの中の両側面には、対称的に２つの第４ガイド槽が形成されている。
第２固定ブロックの両側面には、対称的に２つの第２ガイドブロックがある。
第２固定ブロックは、２つの第２ガイドブロックと２つの第４ガイド槽の組み合わせによって移動シェルの中での動きが制限される。
【００３２】
移動ブロックに設けられている第２取付穴の両側面には、対称的に２つの第２ガイド槽が形成されている。
伸縮シェルの両側面には、対称的に２つの第３ガイドブロックがある。
伸縮シェルは、２つの第３ガイドブロックと２つの第２ガイド槽の組み合わせによって移動ブロックの中での動きが制限される。
【００３３】
伸縮シェルの中の両側面には、対称的に２つの第５ガイド槽が開いてある。
第１固定ブロックの両側面には、対称的に２つの第４ガイドブロックがある。
第１固定ブロックは、２つの第４ガイドブロックと２つの第５ガイド槽の組み合わせによって伸縮シェルの中での動きが制限される。
【００３４】
第１戻しバネ、第２戻しバネ、第３戻しバネ、第４戻しバネは、移動ブロックが最も高い位置にある時、自然長の状態である。
従来のＬＥＤ照明装置と比べて、本発明のＬＥＤ照明装置は、手動で駆動ハンドルを回し、同期輪を通じてＬＥＤライトバーを支える固定機構の上下移動を制御し、ＬＥＤライトバーの交換を行う。
【００３５】
さらに、固定機構とＬＥＤライトバーが最も高い位置にある時、２つの第１固定ブロックが２つの第１固定穴に嵌った状態であり、２つの第１固定穴によって移動ブロックは安定して支持されている。
固定機構が下向きに移動する時、下向きの牽引力は固定プーリーを経由して移動ブロックに伝わらないため、２つの第１固定ブロックと２つの第１固定穴の間の摩擦力は強くならない。
そのため、２つの第１固定ブロックは滑らかに第１固定穴から外れ、固定機構は滑らかに下向きに移動する。
【図面の簡単な説明】
【００３６】
【図１】本体の外観図
【図２】本体の内部構造を示す概略構成図
【図３】固定機構の取付状態を示す概略構成図
【図４】第１固定ブロックと第１固定穴の概略構成図
【図５】第２固定ブロックと第２固定穴の概略構成図
【図６】第２固定ブロックの作動原理を示す概略構成図
【図７】取付柱の概略構成図
【図８】停止ブロックの取付状態を示す概略構成図
【図９】保護シェルの概略構成図
【図１０】同期ベルトの取付状態を示す概略構成図
【図１１】駆動板と同期ベルトの接続状態を示す概略構成図
【図１２】固定機構の概略構成図
【図１３】固定機構の外観図
【図１４】伸縮シェルの取付状態を示す概略構成図
【図１５】移動シェルの取付状態を示す概略構成図
【図１６】移動ブロックの概略構成図
【図１７】第１取付穴の概略構成図
【図１８】第２取付穴の概略構成図
【図１９】移動ブロックの内部構造を示す概略構成図
【図２０】第２固定ブロックの取付状態を示す概略構成図
【図２１】移動シェルの概略構成図
【図２２】第２固定ブロックの概略構成図
【図２３】第１固定ブロックの取付状態を示す概略構成図
【図２４】伸縮シェルの概略構成図
【図２５】第１固定ブロックの概略構成図
【図２６】駆動板の概略構成図
【発明を実施するための形態】
【００３７】
本発明の実施例を、図を参照して説明する。
以下に説明する実施例は、本発明の一実施例であり、全ての実施例ではない。
本発明の実施例に基づき、当業者が容易に想到できる全ての実施例は、本発明の保護範囲内に属する。
【００３８】
以下、図面をもとに、本発明の具体的な実施方法をさらに詳しく説明する。
なお、以下の実施例は、本発明を説明するために使用されるが、本発明の範囲を限定するものではない。
【００３９】
図１と図２に示すとおり、本実施例にかかるＬＥＤ照明装置は、ＬＥＤライトバー1、取付柱2、固定機構4、同期ベルト5、駆動ハンドル16、第１同期輪17、第１回転軸18、第２同期輪19、第２回転軸20が含まれる。
図7と図8に示すとおり、取付柱2は中空である。
図8に示すとおり、取付柱２の内側面には対称的に２つの第１固定穴１２がある。
【００４０】
第１固定穴１２は、移動ブロック６が最も高い位置にある時、２つの第１固定ブロック７と協力して移動ブロック６を固定する。
この固定された状態では、２つの第１固定ブロック７は、それぞれに対応する第１固定穴１２に嵌ることによって、２つの第１固定穴１２が移動ブロック６が落ちないように安定して支持する。
【００４１】
２つの第１固定穴１２は、取付柱２の上部に設けられている。
取付柱２の第１固定穴１２がない側面には、停止ブロック１１が付けられている。
停止ブロック１１には第２固定穴１４があり、第２固定穴１４の役割は次のとおりである。
同期ベルト５が下向きにワイヤー４０を引っ張る時、ワイヤー４０が移動ブロック６に下向きの牽引力を与える。
【００４２】
その時、移動ブロック６が最も高い位置にあるため、２つの第１固定ブロック７が２つの第１固定穴１２に嵌まっている。
その状態でワイヤー４０に引っ張られると、ワイヤー４０の牽引力で、移動ブロック６が受ける下向きの垂直力が強くなり、２つの第１固定ブロック７と第１固定穴１２の間の摩擦力も強くなる。
【００４３】
そうすると、２つの第１固定ブロック７が第１固定穴１２から受ける下向きの力が強くなり、伸縮シェル２６がワイヤー４０に引っ張られる抵抗力も強くなる。
さらに、ワイヤー４０の牽引力が大きいほど、伸縮シェル２６がワイヤー４０に引っ張られる抵抗力は大きくなる。
【００４４】
この状態のままであれば、２つの第１固定ブロック７は２つの第１固定穴１２に嵌った状態であるため、移動ブロック６は下向きには移動しない。
しかし、ワイヤー４０が固定プーリー３０を経由していて、固定プーリー３０が移動シェル２８に付けられているため、ワイヤー４０が固定プーリー３０を通して牽引力を移動シェル２８に伝えることで、移動シェル２８を下向きに移動させる。
それによって、移動シェル２８は下向きに移動し、第２固定ブロック８も下向きに移動させる。
【００４５】
その時、第２固定ブロック８の下側の斜面が第２固定穴１４に当たると、第２固定穴１４は第２固定ブロック８に対して上向きの支持力を与える。
第２固定ブロック８の下側の斜面の水平方向を基準とした傾斜角度が小さいため、第２固定ブロック８は第２固定穴１４から容易には移動シェル２８側には戻らない。
この状態では、第２固定穴１４は第２固定ブロック８を介して、移動シェル２８に上向きの支持力を与える。
【００４６】
その支持力がワイヤー４０の下向きの牽引力の大部分を相殺するため、ワイヤー４０が下向きに引っ張られると、２つの第１固定ブロック７と２つの第１固定穴１２の間に伝えてきた下向きの牽引力が小さくなり、伸縮シェル２６のワイヤー４０の牽引力に対する抵抗力も小さくなる。
この状態で、ワイヤー４０を引っ張ると、ワイヤー４０を通じて伸縮シェル２６を移動させることができる。
取付柱２の下端の内側面には軸穴９が形成されている。
【００４７】
図3に示すとおり、第１回転軸１８は取付柱２の軸穴９を通して取付柱２に付けられている。
図10に示すとおり、駆動ハンドル１６は第１回転軸１８の外側に付けられて、第１同期輪１７は第１回転軸１８の内側に付けられている。
第２回転軸２０は取付柱２の上端の内側面に付けられ、第２同期輪１９は第２回転軸２０に付けられている。
【００４８】
第２同期輪１９と第１同期輪１７は同期ベルト５を通じて繋がっている。
駆動ハンドル１６を手動で回し、駆動ハンドル１６によって第１回転軸１８を回転させる。
第１回転軸１８は第１同期輪１７を回し、第１同期輪１７によって第１同期輪１７と第２同期輪１９が繋がっている同期ベルト５が動かされる。
【００４９】
図3示すとおり、固定機構4は取付柱２の内部に設置されて、同期ベルト５の駆動により取付柱２の中で上下移動する。
図4に示すとおり、ＬＥＤライトバーは固定機構4に取り付けられ、その上端は、取付柱２の天面に開いてあるライト穴１３から取付柱２の外に現れる。
【００５０】
図12に示すとおり、固定機構4には、移動ブロック６、第１固定ブロック７、第２固定ブロック８、第１戻しバネ２４、第２戻しバネ２５、伸縮シェル２６、移動シェル２８、第３戻しバネ２８、制限バー２９、固定プーリー３０、第４戻しバネ３１、第１取付穴３３、第２取付穴３６、ワイヤー４０、第２斜面４７が含まれる。
【００５１】
図16に示すとおり、移動ブロック６の両側面には、対称的に２つの第２取付穴３６が設けられている。
図17に示すとおり、移動ブロック６には前後貫通する第１取付穴３３が形成されており、その第１取付穴３３の前端は移動ブロック６の上下両面と連通している。
【００５２】
図4に示すとおり、移動ブロック６は取付柱２の内部に付けられている。
図14に示すとおり、２つの伸縮シェル２６は、それぞれ２つの第２取付穴３６の中に設けられている。
２つの伸縮シェル２６の奥側と第２取付穴３６との間には、第２戻しバネ２５がある。
第２戻しバネ２５の役割は、伸縮シェル２６に対し、元の位置に戻す力を与えることである。
【００５３】
図25に示すとおり、２つの第１固定ブロック７の下側には第２斜面４７がある。
移動ブロック６が上向きに移動する時、２つの第１固定ブロック７が第１固定穴１２と接触すると、第１戻しバネ２４の力で第１固定穴１２の中に入って嵌る。
【００５４】
移動ブロック６が最も高い位置に移動した時、駆動ハンドル１６を放すと、移動ブロック６は重力による下向きの力を得る。
第３戻しバネ２８を押し縮めた状態になる。
移動ブロック６が最も高い位置に達して下向きに移動する時、２つの第１固定ブロック７は、完全に第１固定穴１２に嵌り、移動ブロック６を完全に支えることができる。
【００５５】
本実施例では、２つの第１固定ブロック７の下側に第２斜面４７を設ける構成にしたことで、移動ブロック６は、最も高い位置に達する直前から、第１固定ブロックは、第１固定穴に嵌りかけた状態になる。
そして、移動ブロック６が最も高い位置に達する時には、第１固定ブロック７は、第１固定穴１２にほぼ収まった状態になる。
【００５６】
第１固定ブロック７の上側の第２斜面４７は第１固定穴１２に接触している。
これにより、第１固定ブロック７は第１固定穴１２に嵌まって移動ブロックを支えることができる。
移動ブロック６が下向きに移動した時、第３戻しバネ２８は少し押し縮められた状態になる。
【００５７】
図23に示すとおり、２つの第１固定ブロック７はそれぞれ２つの伸縮シェル２６の中に取り付けられて、その奥側と伸縮シェル２６との間には第１戻しバネ２４がある。
第１戻しバネ２４の役割は第１固定ブロック７を戻すことである。
【００５８】
図4に示すとおり、２つの第１固定ブロック７は、取付柱２に形成されている２つの第１固定穴１２と合わせる。
【００５９】
図15に示すとおり、移動シェル２８は第１取付穴３３の中に取り付けられて、移動シェル２８の下面と第１取付穴３３の下面の間に第３戻しバネ２８がある。
第３戻しバネ２８の役割は移動シェル２８を戻すことである。
移動ブロック６が最も高い位置にある時、第３戻しバネ２８は移動シェル２８の重力によってやや圧縮された状態になる。
【００６０】
図22に示すとおり、第２固定ブロック８の一端の上下には斜面があり、下側の斜面の水平方向を基準とした傾斜角度は上側の斜面の水平方向を基準とした傾斜角度より小さい。
これによって、移動ブロック６が下向きの力を受けている間は、第２固定ブロック８の下側の斜面によって、第２固定ブロック８が容易には第２固定穴１４に押されて移動シェル２８の中に戻ることはないが、移動ブロック６が上向きの支持力を受けている間は、第２固定ブロック８の上側の斜面が第２固定穴１４に当接することで、第２固定ブロック８が容易に第４戻しバネ３１に押し出される。
【００６１】
図20に示すとおり、第２固定ブロック８が移動シェル２８の中に取り付けられて、第２固定ブロック８と移動シェル２８の間には第４戻しバネ３１がある。
第４戻しバネ３１の役割は、第２固定ブロック８に対し、元の位置に戻す力を与えることである。
図5に示すとおり、第２固定ブロック８は取付柱２に付けられている停止ブロック１１の第２固定穴１４に嵌る。
２つの制限バー２９は対称的に第１取付穴３３の両側面に付けられている。
図15に示すとおり、２つの制限バー２９は移動シェル２８の移動範囲を制限する。
【００６２】
移動シェル２８の中にある第２固定ブロック８が第２固定穴１４から外れると、移動シェル２８は制限バー２９によって移動ブロック６を下向きに移動させることができる。
図19に示すとおり、４つの固定プーリー３０は、左右対称の１組が上下２段に、移動シェル２８の前側に付けられている。
【００６３】
２つの伸縮シェル２６は、横方向に延びるワイヤー４０で繋がっている。
横方向に延びるワイヤー４０は、移動ブロック６のワイヤー穴３８を通って、固定プーリー３０の間に延びる。
２つの伸縮シェル２６の間を横方向に延びるワイヤー４０は、縦方向に延びるワイヤー４０の一端に接続されている。
縦方向に延びるワイヤー４０は、横方向に延びるワイヤー４０との接続箇所から、左右対称の固定プーリー３０の間を通って駆動板２２に接続され、駆動板２２は同期ベルト５に固定される。
【００６４】
移動ブロック６が下向きに移動する時、縦方向に延びるワイヤー４０は下段の左右２つの固定プーリー３０の間を通る。
移動ブロック６が上向きに移動する時、縦方向に延びるワイヤー４０は上段の左右２つの固定プーリー３０の間を通る。
【００６５】
図6に示すとおり、移動ブロック６が最も高い位置にある時、第２固定ブロック８と第２固定穴１４の間には隙間がある。
その隙間は、移動ブロック６が２つの第１固定ブロック７に支えられている時にできる。
移動ブロック６が最も高い位置にある時、２つの第１固定ブロック７が第１固定穴１２に嵌ることによって、２つの第１固定穴１２が移動ブロック６を安定して支持する。
【００６６】
以上の実施例にかかる本発明の効果は次のとおりである。
ＬＥＤ照明装置は、駆動ハンドル１６を手動で回して操作する。
駆動ハンドル１６が同期輪を通じて、ＬＥＤライトバーを支える固定機構4を上下移動させる。
【００６７】
それによってＬＥＤライトバーの交換が行われる。
さらに、本発明の固定機構4とＬＥＤライトバーが最も高い位置にある時、２つの第１固定ブロック７が２つの第１固定穴１２に嵌ることで、２つの第１固定穴１２が移動ブロック６を安定して支持する。
【００６８】
それと同時に、固定機構4が下向きに移動する時、下方向の牽引力が固定プーリー３０を通して移動ブロックには伝わらない。
そのため、２つの第１固定ブロック７と２つの第１固定穴１２の間の摩擦力が強くならないので、２つの第１固定ブロック７が滑らかに第１固定穴１２から外れる。
それにより、固定機構4は滑らかに下向きに移動する。
【００６９】
図7に示すとおり、取付柱２の中の両側面には、対称的に4本のガイドレール10がある。
図16に示すとおり、移動ブロック６の４つの角にはガイドブロック３５がある。
図3に示すとおり、移動ブロック６は４つのガイドブロック３５を使って、4本のガイドレール10に沿って取付柱2を移動する。
【００７０】
図1と9に示すとおり、取付柱２の下方の側面には駆動ハンドル１６を保護する保護シェルが付けられ、その保護シェル3には鍵を掛けられる保護ドア１５もある。
作業員以外の第三者が偶然ＬＥＤライトバー1を動かすことができないように設計している。
【００７１】
図1に示すとおり、取付柱２の上部の支え棒２３の上には、ＬＥＤライトバー１の光を反射する反射板２１が付けられている。
図17に示すとおり、移動ブロック６に設けられている第１取付穴３３の前側の両側面には、対称的に２本の第３ガイド槽３７がある。
【００７２】
図26に示すとおり、駆動板２２の一端には２つの回避口５０が形成されている。
回避口５０が形成されていることで、駆動板２２が上向きに移動する時、４つの固定プーリー３０に当たることがない。
駆動板２２の回避口５０がある側の両側には、対称的な２つの第５ガイドブロック４９がある。
【００７３】
図12と13が示すとおり、駆動板２２は２つの第５ガイドブロック４９と2本の第３ガイド槽３７の組み合わせにより、移動ブロック６に設置されている。
２つの伸縮シェル２６を繋げるワイヤーとは異なる縦方向に延びるワイヤー４０が駆動板２２の第５ガイドブロック４９の一端と繋がる。
図11に示すとおり、駆動板２２の端部は同期ベルトに連結する。
２つの第５ガイドブロック４９と2本の第３ガイド槽３７の組み合わせによって、駆動板２２の動きを制限する。
【００７４】
これによって、駆動板２２が同期ベルト５によって揺らされても、同期ベルト５の動きに影響を受けない。
移動ブロック６に設けられている第１取付穴３３の奥側の両側面には、対称的に２つの第１ガイド槽３２が形成されている。
移動シェル２８の側面には、対称的に２つの第１ガイドブロック４１がある。
移動シェル２８は、２つの第１ガイドブロック４１と２つの第１ガイド槽３２の組み合わせによって移動ブロック６の中での動きが制限される。
【００７５】
図21に示すとおり、移動シェル２８の中の両側面には、対称的に２つの第４ガイド槽４２が形成されている。
図22に示すとおり、第２固定ブロック８の両側面には、対称的に２つの第２ガイドブロック４３がある。
図20に示すとおり、第２固定ブロック８は２つの第２ガイドブロック４３と２つの第４ガイド槽４２の組み合わせによって移動シェル２８の中での動きが制限される。
【００７６】
図16と18に示すとおり、移動ブロック６に設けられている第２取付穴３６の両側面には、対称的な２つの第２ガイド槽３４が形成されている。
図24に示すとおり、伸縮シェル２６の両側面には対称的な２つの第３ガイドブロック４５がある。
図14に示すとおり、伸縮シェル２６は２つの第３ガイドブロック４５と２つの第２ガイド槽３４の組み合わせによって移動ブロック６の中での動きが制限される
【００７７】
図24に示すとおり、伸縮シェル２６の中の両側面には対称的な２つの第５ガイド槽４６が設けられている。
図25に示すとおり、第１固定ブロック７の両側面には、対称的な２つの第４ガイドブロック４８がある。
【００７８】
図23に示すとおり、第１固定ブロック７は２つの第４ガイドブロック４８と２つの第５ガイド槽４６の組み合わせによって伸縮シェル２６の中での動きが制限される。
第１戻しバネ２４、第２戻しバネ２５、第３戻しバネ２８、第４戻しバネ３１は、移動ブロック６が最も高い位置にある時、自然長の状態である。 
【００７９】
本実施例にかかるＬＥＤ照明装置の使用方法は次のとおりである。
ＬＥＤライトを使う時、ＬＥＤライトが壊れて交換が必要になると、まず駆動ハンドル１６を回して同期ベルト５を動かす。
同期ベルト５は駆動板２２を経由してワイヤー４０を下方向に引っ張る。
そうすると、ワイヤー４０は移動シェル２８を下向きに引っ張る。
【００８０】
移動シェル２８に付けられている第２固定ブロック８と第２固定穴１４によって、ワイヤー４０の下向きの牽引力を、第２固定ブロック８がほぼ全部受ける。
第２固定ブロック８は、その牽引力で、移動シェル２８の中に移動する。
その状態でワイヤー４０を引っ張ると、ワイヤー４０は伸縮シェル２６を引っ張るようになる。
【００８１】
伸縮シェル２６は第４ガイドブロック４８と第５ガイド槽４６の組み合わせによって第１固定ブロック７を移動させる。
まずは第１固定ブロック７が第１固定穴１２に嵌っている部分が離れる。
次に第１固定ブロック７の第２斜面４７と第１固定穴１２の摩擦力が強くなる。
さらにワイヤー４０を下方向に引っ張ると、２つの第１固定ブロック７の第２斜面４７は第１固定穴１２から徐々に離れていく。
【００８２】
第２固定ブロック８が第２固定穴１４から完全に離れた後、ワイヤー４０を引っ張ると移動シェル２８が下向きに移動する。
移動シェル２８は制限バー２９に当接し、制限バー２９によって移動ブロック６を下向きに移動させる。
移動ブロック６はＬＥＤライトバーとともに下向きに移動する。
ＬＥＤライトバーが下に移動されて交換できる。
【００８３】
交換完了後、駆動ハンドル１６を反対方向に回し、同期ベルト５を反対方向に動かす。
同期ベルト５はワイヤー４０を引っ張り、ワイヤー４０が上段の２つの固定プーリー３０を経由して、移動ブロック６を上向きに引っ張る。
移動ブロック６が上向きに移動中、移動シェル２８の中にある第２固定ブロック８が第２固定穴１４に当接すると、第２固定ブロック８は第４戻しバネ３１の力で第２固定穴１４の中に戻される。
【００８４】
それと同時に、第１固定ブロック７の第２斜面４７が第１固定穴１２に当接すると、第１固定ブロック７は第１戻しバネ２４の力で第１固定穴１２の中に戻りはじめる。
移動ブロック６が完全に最も高い位置に移動した時、駆動ハンドル１６を回すのをやめると、移動ブロック６は重力によって下向きに移動する。
その下向きへの移動中、伸縮シェル２６が第２戻しバネ２５の力で第１固定穴１２の方向に移動する。
【００８５】
それにつれて、伸縮シェル２６の中の第１固定ブロック７も移動して、完全に第１固定穴１２の中に嵌まる。
これによって最初の位置に戻る。
【００８６】
上記の実施例は、本発明の限定的な実施例ではなく、当業者は、本発明の本質に基づいて、改良と修正を行うことができる。
本発明の添付図面は、構造的動作を理解するための本発明の一実施例を説明した図である。
具体的な製品の構造とプロポーションサイズは、使用環境に従って、従来の技術とまとめて確認することができる。
【符号の説明】
【００８７】
1  ＬＥＤライトバー
2  取付柱
3  保護シェル
4  固定機構
5  同期ベルト
6  移動ブロック
7  第１固定ブロック
8  第２固定ブロック
9  軸穴
10  ガイドレール
11  停止ブロック
12  第１固定穴
13  ライト穴
14  第２固定穴
15  保護ドア
16  駆動ハンドル
17  第１同期輪
18  第１回転軸
19  第２同期輪
20  第２回転軸
21  反射板
22  駆動板
23  支え棒
24  第１戻しバネ
25  第２戻しバネ
26  伸縮シェル
27  移動シェル
28  第３戻しバネ
29  制限バー
30  固定プーリー
31  第４戻しバネ
32  第１ガイド槽
33  第１取付穴
34  第２ガイド槽
35  ガイドブロック
36  第２取付穴
37  第３ガイド槽
38  ワイヤー穴
40  ワイヤー
41  第１ガイドブロック
42  第４ガイド槽
43  第２ガイドブロック
45  第３ガイドブロック
46  第５ガイド槽
47  第２斜面
48  第４ガイドブロック
49  第５ガイドブロック
50  回避口
【図１】
2020202174.tif 000003
【図２】
2020202174.tif 000004
【図３】
2020202174.tif 000005
【図４】
2020202174.tif 000006
【図５】
2020202174.tif 000007
【図６】
2020202174.tif 000008
【図７】
2020202174.tif 000009
【図８】
2020202174.tif 000010
【図９】
2020202174.tif 000011
【図１０】
2020202174.tif 000012
【図１１】
2020202174.tif 000013
【図１２】
2020202174.tif 000014
【図１３】
2020202174.tif 000015
【図１４】
2020202174.tif 000016
【図１５】
2020202174.tif 000017
【図１６】
2020202174.tif 000018
【図１７】
2020202174.tif 000019
【図１８】
2020202174.tif 000020
【図１９】
2020202174.tif 000021
【図２０】
2020202174.tif 000022
【図２１】
2020202174.tif 000023
【図２２】
2020202174.tif 000024
【図２３】
2020202174.tif 000025
【図２４】
2020202174.tif 000026
【図２５】
2020202174.tif 000027
【図２６】
2020202174.tif 000028
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
ＬＥＤライトバー、取付柱、固定機構、同期ベルト、駆動ハンドル、第１同期輪、第１回転軸、第２同期輪、第２回転軸からなり、
取付柱は中空で、取付柱の内側面の上端には対称的な２つの第１固定穴があり、
取付柱の第１固定穴が無い側面には、停止ブロックが付けられていて、停止ブロックには第２固定穴があり、
取付柱の下端の内側面には軸穴が形成されており、
第１回転軸は軸穴を通して取付柱に付けられ、
駆動ハンドルは第１回転軸の外側に付けられ、
第１同期輪は第１回転軸の内向き側に付けられ、
第２回転軸は取付柱の上端の内側面に付けられ、
第２同期輪は第２回転軸に付けられ、
第２同期輪と第１同期輪は同期ベルトを通じて繋がっており、
固定機構は取付柱の中に付けられ、その移動は同期ベルトで駆動され、
ＬＥＤライトバーは固定機構の上に取り付けられ、
ライトバーの上の部分は取付柱の上の面に形成されているライト穴から取付柱の外に現れ、
固定機構には、移動ブロック、第１固定ブロック、第２固定ブロック、第１戻しバネ、第２戻しバネ、伸縮シェル、移動シェル、第３戻しバネ、制限バー、固定プーリー、第４戻しバネ、第１取付穴、第２取付穴、ワイヤー、第２斜面からなり、
移動ブロックの両側には、対称的に２か所の第２取付穴が形成されており、
移動ブロックの後ろの面には、前後貫通の第１取付穴があり、その第１取付穴の前端は移動ブロックの上下両面と連通し、
移動ブロックは取付柱の内部に付けられ、
２つの伸縮シェルはそれぞれ２つの第２取付穴の中にあり、
それぞれの伸縮シェルの奥側と第２取付穴の間には、第２戻しバネがあり、
第１固定ブロックの下側には第２斜面が形成されており、
２つの第１固定ブロックはそれぞれ２つの伸縮シェルの中に設置され、
２つの第１固定ブロックの奥側と伸縮シェルの間には、第１戻しバネがあり、
２つの第１固定ブロックは取付柱の内側面に設けられた２つの第１固定穴とはセットになっており、
移動シェルは第１取付穴の中に設置され、その下面と第１取付穴の下面の間には第３戻しバネがあり、
第２固定ブロックの一端の上下両側が斜面に形成され、その下側の斜面の水平方向に対する傾斜角度は、上側の斜面の水平方向に対する傾斜角度より小さく、
第２固定ブロックは移動シェルの中に設置され、その奥側と移動シェルの間には第４戻しバネがあり、
第２固定ブロックは取付柱の停止ブロックに設けられた第２固定穴とはセットになっており、
２つの制限バーは、対称的に第１取付穴の両側面に設けられ、移動シェルの移動を制限し、
４つの固定プーリーは、上下２段で左右対称に移動シェルの前端に設置され、
２つの伸縮シェルは横方向に延びるワイヤーで繋がっており、
ワイヤーは移動ブロックにあるワイヤー穴を通って固定プーリーの間を通り、
２つの伸縮シェルの間を横方向に延びるワイヤーは、縦方向に延びるワイヤーの一端に接続されており、
縦方向に延びるワイヤーは、横方向に延びるワイヤーとの接続箇所から、左右対称の固定プーリーの間を通って駆動板に接続され、同期ベルトに固定され、
移動ブロックが最も高い位置にある時、第２固定ブロックと、それと対応する第２固定穴の下側の面との間には隙間がある
ことを特徴とする照明装置。
【請求項２】
取付柱の中の両側面には対称的な４本のガイドレールがあり、
移動ブロックの４つの角にはガイドブロックがあり、
移動ブロックは４つのガイドブロックを使って、４本のガイドレールに沿って移動し、
取付柱の下部の側面には駆動ハンドルを保護する保護シェルが付けられ、
その保護シェルには鍵を掛けられる保護ドアが設けられている
ことを特徴とする請求項１に記載の照明装置。
【請求項３】
移動ブロックに設けられている第１取付穴の前側の両側面には、
対称的な２本の第３ガイド槽があり、
駆動板の奥側には２つの回避口があり、
駆動板の回避口がある側の両側には、対称的な２つの第５ガイドブロックがあり、
駆動板は、２つの第５ガイドブロックと２本の第３ガイド槽の組み合わせにより、移動ブロックに設けられており、
２つの伸縮シェルの間を横方向に延びるワイヤーとは別の、縦方向に延びるワイヤーが駆動板の第５ガイドブロックの一端と繋がっており、
駆動板の外側の一端は同期ベルトに連結し、
移動ブロックの第１取付穴の奥側の両側面には、対称的な２本の第１ガイド槽が設けられており、
移動シェルの両側面には、対称的な２つの第１ガイドブロックが付けられており、
移動シェルは２つの第１ガイドブロックと２本の第１ガイド槽の組み合わせにより、移動ブロックに付けられている
ことを特徴とする請求項１に記載の照明装置。